(57)【要約】【課題】複数の情報源のコンテンツを再生し、かつ、この複数の情報源のコンテンツの再生に対して視聴制限の設定が可能である情報処理装置において、視聴制限の設定操作が従来よりも容易な技術を提供する。【解決手段】複数の情報源のコンテンツを再生し、かつ、該コンテンツの再生に対して視聴制限の設定が可能である情報処理装置であって、前記複数の情報源のコンテンツの再生に対する視聴制限の設定を、共通の視聴制限の設定として受け付ける入力部と、前記複数の情報源ごとに予め規定されている各視聴制限と前記入力部で受け付けた前記共通の視聴制限とを互いに関連付け、視聴制限情報として記憶装置に記憶させる視聴制限制御部と、前記記憶装置に記憶される前記視聴制限情報に基づいて、前記複数の情報源のコンテンツを再生する再生部と、を備える。【選択図】図３
2011217152.tif 000002
【特許請求の範囲】
【請求項１】
複数の情報源のコンテンツを再生し、かつ、該コンテンツの再生に対して視聴制限の設定が可能である情報処理装置であって、
前記複数の情報源のコンテンツの再生に対する視聴制限の設定を、共通の視聴制限の設定として受け付ける入力部と、
前記複数の情報源ごとに予め規定されている各視聴制限と前記入力部で受け付けた前記共通の視聴制限とを互いに関連付け、視聴制限情報として記憶装置に記憶させる視聴制限制御部と、
前記記憶装置に記憶される前記視聴制限情報に基づいて、前記複数の情報源のコンテンツを再生する再生部と、
を備える情報処理装置。
【請求項２】
前記複数の情報源ごとに予め規定されている各視聴制限は、視聴制限のレベル数に関するレベル数情報とレベルごとに規定された視聴対象者を特定する対象者情報とを含み、
前記共通の視聴制限は、前記レベル数情報に対応する共通レベル数情報と、前記対象者情報に対応する共通対象者情報とを含み、
前記視聴制限制御部は、前記レベル数情報と前記共通レベル数情報とを関連付け、前記対象者情報と前記共通対象者情報とを関連付け、前記視聴制限情報として前記記憶装置に記憶させる、請求項１に記載の情報処理装置。
【請求項３】
前記情報処理装置は、車両に搭載される請求項１又は２に記載の情報処理装置。
【請求項４】
前記情報処理装置は、車両に搭載され、該情報処理装置の位置に関する位置情報を取得する位置情報取得部を更に備え、
前記複数の情報源のコンテンツは、地域ごとに前記視聴制限が規定され、
前記視聴制限制御部は、前記位置情報取得部で取得された位置情報から該情報処理装置が存在する地域を特定し、特定された地域で規定された視聴制限に対応するように、前記記憶装置に記憶される前記視聴制限情報を変更し、
前記再生部は、前記視聴制限制御部によって変更された、前記記憶装置に記憶される変更後の前記視聴制限情報に基づいて、前記複数の情報源のコンテンツを再生する、請求項１又は２に記載の情報処理装置。
【請求項５】
前記複数の情報源のコンテンツは、規格が異なる記録媒体に記録されたコンテンツである、請求項１から４の何れか１項に記載の情報処理装置。
【発明の詳細な説明】
【技術分野】
【０００１】
本発明は、情報処理装置の技術に関する。
【背景技術】
【０００２】
オーディオ機器が備える機能の一つとして、視聴年齢に制限を設ける機能（パレンタルロック）がある。例えば、非特許文献１には、ＤＶＤ（Digital Versatile Disc）及びＢＤ（Blu-ray Disc）を再生可能なブルーレイディスクレコーダーにおいて、ＤＶＤとＢＤの双方の再生に対して、視聴年齢制限を設定可能であることが開示されている。また、特許文献１には、車両に搭載されたオーディオ機器のパレンタルロック機能の設定を、車両の後部座席に備えられているチャイルドロック機構の設定に連動させる技術が開示されている。また、特許文献２には、地域に応じて再生の制限をするリージョンレベル（地域レベル）がＤＶＤに記録されている場合において、ＧＰＳ（Global Positioning System）
技術を利用してＤＶＤ再生装置の設置位置を特定し、ＤＶＤの再生が可能かどうかを判定する技術が開示されている。
【先行技術文献】
【特許文献】
【０００３】
【特許文献１】特開２００４−２９７６０２号公報
【特許文献２】特開２００１−２１６２００号公報
【特許文献３】特開２００７−１８０７４９号公報
【非特許文献】
【０００４】
【非特許文献１】「ブルーレイディスクレコーダー  取扱説明書」、ソニー株式会社、２００８年、Ｐ２０６、[２０１０年３月１５日検索]、インターネット（URL：http://www.sony.jp/ServiceArea/impdf/pdf/3700901011.pdf）
【発明の概要】
【発明が解決しようとする課題】
【０００５】
オーディオ機器が備える機能の一つとして、視聴年齢に制限を設ける機能（パレンタルロック）がある。パレンタルロックとは、ユーザが設定した視聴制限（パレンタルレベル）に応じて、再生するコンテンツの年齢制限部分（例えば、暴力シーンや成人向けシーン）を自動的にカット、あるいは全年齢対応のシーンに差し替えて行う機能である。視聴制限を適用する基準は、国や地域ごとに異なっている。
【０００６】
ここで、例えばＤＶＤ（Digital Versatile Disc）では、視聴制限の設定を行うパレンタルレベルが、８段階であり、次世代ＤＶＤと称されるＢＤ（Blu-ray Disc）では、２５６段階である。図１は、従来技術における、ＤＶＤのパレンタルレベルとＢＤのパレンタルレベルとの関係を示す。図１のＤＶＤのパレンタルレベルは、地域Ａの一例であるが、レベル１：Ｇ（一般向け、すなわち全年齢対象）、レベル２：予備、レベル３：ＰＧ（子供には不適切）、レベル４：ＰＧ−１３（１３歳未満には不適切）、レベル５：予備、レベル６：Ｒ（１７歳未満では保護者の同伴が必要）、レベル７：ＮＣ−１７（１７歳未満は禁止）、レベル８：制限なし、の８段階からなる。また、図１のＢＤのパレンタルレベルは、地域Ａにおいて年齢で設定した一例であるが、レベル１から１３が、Ｇ、ＰＧ、ＰＧ−１３に対応し、レベル１４から１６がＲに対応し、レベル１７から２５５がＮＣ−１７に対応し、レベル２５６が制限なしに対応する。そして、従来技術では、ＤＶＤのパレンタルレベルとＢＤのパレンタルレベルの設定が独立していることから、ユーザは、ＤＶＤのパレンタルレベルとＢＤのパレンタルレベルの双方の設定を別々に行う必要があり、
操作が煩雑であった。また、ユーザが、一方の設定を完了することで全ての設定が完了したものと勘違いしてしまうことがあり、この場合、本来再生すべきでないコンテンツが再生されてしまうことも懸念されていた。
【０００７】
本発明では、複数の情報源のコンテンツを再生し、かつ、この複数の情報源のコンテンツの再生に対して視聴制限の設定が可能である情報処理装置において、視聴制限の設定操作が従来よりも容易な技術を提供することを課題とする。
【課題を解決するための手段】
【０００８】
本発明では、上述した課題を解決するため、複数の情報源の夫々に設定されている視聴制限を互いに関連付けることで、１回の設定で複数の情報源の視聴制限を設定できるようにした。
【０００９】
より詳細には、本発明は、複数の情報源のコンテンツを再生し、かつ、該コンテンツの再生に対して視聴制限の設定が可能である情報処理装置であって、前記複数の情報源のコンテンツの再生に対する視聴制限の設定を、共通の視聴制限の設定として受け付ける入力部と、前記複数の情報源ごとに予め規定されている各視聴制限と前記入力部で受け付けた前記共通の視聴制限とを互いに関連付け、視聴制限情報として記憶装置に記憶させる視聴制限制御部と、前記記憶装置に記憶される前記視聴制限情報に基づいて、前記複数の情報源のコンテンツを再生する再生部と、を備える。
【００１０】
本発明は、オーディオ機器などの情報処理装置が備える機能の一つである、視聴年齢に制限を設ける機能（パレンタルロック）に関する技術である。パレンタルロックとは、ユーザが設定した視聴制限（パレンタルレベル）に応じて、再生するコンテンツの年齢制限部分（例えば、暴力シーンや成人向けシーン）を自動的にカット、あるいは全年齢対応のシーンに差し替えて行う機能である。視聴制限を適用する基準は、国や地域ごとに異なっている。本発明では、複数の情報源ごとに予め規定されている各視聴制限と共通の視聴制限とを互いに関連付けることで、１回の設定で、複数の情報源のコンテンツの再生に対する視聴制限の設定が可能となる。その結果、複数の情報源ごとに視聴制限を設定する必要がなく、視聴制限の設定操作が従来よりも容易となる。
【００１１】
複数の情報源のコンテンツには、ＤＶＤやＢＤなどの規格が異なる光ディスクなどの記録媒体に格納されるコンテンツのほか、ネットワークを通じて配信されるコンテンツも含まれる。ネットワークを通じて配信されるコンテンツには、放送事業者から配信されるコンテンツも含まれる。換言すると、複数の情報源のコンテンツは、視聴制限に関する情報を含むコンテンツであればよく、その態様は特に限定されない。
【００１２】
共通の視聴制限とは、ユーザによって設定される視聴制限であり、設定された共通の視聴制限に従って、いずれの情報源のコンテンツも視聴が制限されることになる。本来、視聴制限は、情報源のコンテンツごとに予め規定されており、そのレベル数や各レベルに対応する視聴対象者（例えば、年齢で特定）が規定されている。そこで、本発明では、このように情報源のコンテンツごとに異なるレベル数や各レベルに対応する視聴対象者が、ユーザによって設定される共通の視聴制限で設定できるよう、複数の情報源ごとに予め規定されている各視聴制限と共通の視聴制限とを互いに関連付けることとした。換言すると、複数の情報源ごとに予め規定されている各視聴制限同士が、共通の視聴制限を介して関連付けられる。共通の視聴制限は、例えば、複数の情報源のコンテンツのうち、何れか一つのコンテンツの視聴制限に合わせるようにしてもよい。また、共通の視聴制限は、複数の情報源のコンテンツの視聴制限とは別に新たに設けるようにしてもよい。
【００１３】
関連付けがされた、複数の情報源ごとに予め規定されている各視聴制限と共通の視聴制
限は、視聴制限情報として記憶装置に記憶される。そして、記憶装置に記憶された視聴制限情報に基づいて、各コンテンツの再生が行われることで、コンテンツ再生の際の視聴制限が実行される。
【００１４】
ここで、前記複数の情報源ごとに予め規定されている各視聴制限は、視聴制限のレベル数に関するレベル数情報とレベルごとに規定された視聴対象者を特定する対象者情報とを含み、前記共通の視聴制限は、前記レベル数情報に対応する共通レベル数情報と、前記対象者情報に対応する共通対象者情報とを含み、前記視聴制限制御部は、前記レベル数情報と前記共通レベル数情報とを関連付け、前記対象者情報と前記共通対象者情報とを関連付け、前記視聴制限情報として前記記憶装置に記憶させるようにしてもよい。
【００１５】
レベル数情報とは、視聴制限におけるレベル数に関する情報である。共通レベル数情報とは、レベル数情報に対応する、視聴制限におけるレベル数に関する情報である。なお、レベル数情報と共通レベル数情報は対応するものであるが、レベル数は、必ずしも１対１の関係で対応していなくてもよい。レベル数は、１対複数の関係で対応していてもよい。対象者情報は、レベルごとに規定された視聴対象者を特定する情報である。共通対象者情報は、対象者情報に対応する、レベルごとに規定された視聴対象者に関する情報である。なお、レベル数は、必ずしも１対１の関係で対応していなくてもよいことから、対象者情報と共通対象者情報も必ずしも１対１の関係で対応していなくてもよい。
【００１６】
ここで、本発明に係る情報処理装置は、車両に搭載される情報処理装置として好適に用いることができる。なお、情報処理装置を車両に搭載した場合には、車両が走行する地域によって視聴制限が異なることが想定される。例えば、車両で走行して国境を越えるような場合には、国境を超える際に、再度、視聴制限を変更することが必要となり、設定が煩雑となる。そこで、本発明は、以下のように構成してもよい。
【００１７】
すなわち、本発明に係る情報処理装置は、車両に搭載され、該情報処理装置の位置に関する位置情報を取得する位置情報取得部を更に備え、前記複数の情報源のコンテンツは、地域ごとに前記視聴制限が規定され、前記視聴制限制御部は、前記位置情報取得部で取得された位置情報から該情報処理装置が存在する地域を特定し、特定された地域で規定された視聴制限に対応するように、前記記憶装置に記憶される前記視聴制限情報を変更し、前記再生部は、前記視聴制限制御部によって変更された、前記記憶装置に記憶される変更後の前記視聴制限情報に基づいて、前記複数の情報源のコンテンツを再生するようにしてもよい。
【００１８】
位置情報は、車両の走行位置、換言すると、車両に搭載された情報処理装置の存在位置が特定できる情報であればよい。例えば、位置情報には、経度や緯度に関する情報が含まれる。位置情報の取得には、例えば、ＧＰＳ（Global Positioning System）を用いるこ
とができる。地域とは、視聴制限が規定される単位としての領域であり、必ずしも国単位に限定されるものではない。本発明によれば、仮に視聴制限の異なる地域に車両が進入した場合には、視聴制限情報が自動的に変更されるので、ユーザの操作負担が軽減される。
【００１９】
ここで、本発明は、上述した情報処理装置で実行される処理を実現させる情報処理方法として特定することもできる。具体的には、本発明は、複数の情報源のコンテンツを再生し、かつ、該コンテンツの再生に対して視聴制限の設定が可能である情報処理装置で実行される情報処理方法あって、前記複数の情報源のコンテンツの再生に対する視聴制限の設定を、共通の視聴制限の設定として受け付ける入力ステップと、前記複数の情報源ごとに予め規定されている各視聴制限と前記入力ステップで受け付けた前記共通の視聴制限とを互いに関連付け、視聴制限情報として記憶装置に記憶させる視聴制限制御ステップと、前記記憶装置に記憶される前記視聴制限情報に基づいて、前記複数の情報源のコンテンツを
再生する再生ステップと、をコンピュータが実行する情報処理方法である。
【００２０】
また、本発明は、上述した情報処理装置で実行される情報処理を実現させるプログラムであってもよい。更に、本発明は、そのようなプログラムを記録したコンピュータが読み取り可能な記録媒体であってもよい。この場合、コンピュータ等に、この記録媒体のプログラムを読み込ませて実行することにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２１】
本発明によれば、複数の情報源のコンテンツを再生し、かつ、この複数の情報源のコンテンツの再生に対して視聴制限の設定が可能である情報処理装置において、視聴制限の設定操作が従来よりも容易な技術を提供することができる。
【図面の簡単な説明】
【００２２】
【図１】従来技術における、ＤＶＤのパレンタルレベルとＢＤのパレンタルレベルとの関係を示す。
【図２】実施形態に係る車載装置の概略構成を示す。
【図３】実施形態に係る車載装置の機能ブロック図を示す。
【図４】実施形態に係る車載装置で実行される設定処理のフロー図を示す。
【図５】ディスプレイに表示される設定画面の一例を示す。
【図６】設定画面において、共通パレンタルレベルが設定されている様子を示す。
【図７】パレンタルレベルテーブルの構成例を示す。
【図８】実施形態に係る車載装置で実行される再生処理のフロー図を示す。
【図９】実施形態に係る車載装置で実行される設定変更処理のフロー図を示す。
【図１０】変更前のパレンタルテーブル及びを変更後のパレンタルレベルの構成例を示す。
【発明を実施するための形態】
【００２３】
[構成]
次に、本発明に係る情報処理装置に相当する車載装置の実施形態について図面に基づいて説明する。図２は、実施形態に係る車載装置２の概略構成を示す。実施形態に係る車載装置２は、ナビゲーション機能を備え、ディスク再生部２１と、メモリーカード再生部２２と、ＴＶ受信部２３と、ラジオ受信部２４と、ディスプレイ２５と、操作部２６と、通信部２７と、ＧＰＳ情報受信部２８と、これらと電気的に接続される制御部２０と、を有する。
【００２４】
ディスク再生部２１は、ＣＤ、ＤＶＤ（Digital Versatile Disc）、ＢＤ（Blu-ray Disc）等の光ディスクに記録されているコンテンツを再生する。ディスク再生部２１は、例えばＤＶＤ／ＢＤデッキによって構成することができる。メモリーカード再生部２２は、ＵＳＢメモリ、ＳＤメモリーカードといった車載装置２に着脱可能な移動型記憶媒体に格納されているコンテンツを再生する。ＴＶ受信部２３は、ＤＴＶ（Digital Television）放送やワンセグ放送を受信する。ＴＶ受信部２３は、既存のチューナによって構成することができる。ラジオ受信部２４は、ＦＭ放送、ＡＭ放送、ＶＩＣＳ情報等を受信する。ラジオ受信部２４は、既存のチューナによって構成することができる。
【００２５】
ディスプレイ２５は、設定画面、地図情報、再生されるコンテンツに関する情報、ユーザからの操作を受け付ける操作ボタン等が表示可能である。なお、実施形態に係るディスプレイ２５は、タッチパネルによって構成されているが、既存の様々なディスプレイを適
用することができる。タッチパネルによらない場合、車載装置２は、操作ボタンやリモートコントローラなどの操作部２６によって操作することができる。
【００２６】
通信部２７は、例えば携帯端末を介してネットワークに接続し、コンテンツの送受信を行う。例えば、通信部２７は、Bluetooth（登録商標）による無線通信を実現可能とするBluetooth用アンテナによって構成することができる。なお、通信部２７は、赤外線ポートやケーブルを接続するコネクタ等によって構成してもよい。
【００２７】
ＧＰＳ情報受信部２８は、ＧＰＳ（Global Positioning System）情報を受信する。Ｇ
ＰＳ情報受信部２８は、図示せぬＧＰＳ用受信アンテナによって構成することができる。
【００２８】
次に、車載装置２の制御部２０ついて説明する。図３は、実施形態に係る車載装置２の機能ブロック図を示す。図３に示すように、車両制御部２０は、ＣＰＵ３１、メモリ３２等を含むコンピュータとコンピュータ上で実行されるプログラムによって実現することができる。制御部２０は、入力部３３、パレンタルレベル制御部３４、再生部３５を備える。なお、入力部３３、パレンタルレベル制御部３４、再生部３５は、専用のプロセッサによって構成してもよい。
【００２９】
入力部３３は、複数の情報源のコンテンツの再生に対する視聴制限の設定を、操作部２６を介して共通パレンタルレベル（本発明の共通の視聴制限に相当する）の設定として受け付ける。パレンタルレベル制御部３４は、本発明の視聴制限制御部に相当し、複数の情報源ごと（例えば、ＤＶＤ及びＢＤ）に予め規定されているパレンタルレベル（本発明の視聴制限に相当する）と入力部３３で受け付けた共通パレンタルレベルとを互いに関連付け、パレンタルレベルテーブル（本発明の視聴制限情報に相当する）としてメモリ３２内の所定の記憶領域に記憶させる。再生部３５は、メモリ３２に記憶されるパレンタルレベルテーブルにアクセスし、複数の情報源のコンテンツを再生する。これらの機能部については、後述する処理フローの説明において詳述する。
【００３０】
[処理フロー]
次に、実施形態に係る車載装置２で実行される処理について図面に基づいて説明する。以下では、複数の情報源のコンテンツ（動画、静止画）として、ＤＶＤに格納されるコンテンツとＢＤに格納されるコンテンツを再生する際に、パレンタルレベルを設定する場合を例に説明する。まず、パレンタルレベルを設定する設定処理について説明した上で、パレンタルレベルの設定下でＤＶＤ又はＢＤを再生する再生処理について説明する。
【００３１】
＜設定処理＞
図４は、実施形態に係る車載装置で実行される設定処理のフロー図を示す。ステップＳ０１では、入力部３３は、パレンタルレベルの設定画面を、ディスプレイ２５に表示させる。図５は、ディスプレイ２５に表示される設定画面の一例を示す。図５では、パスワード受付部４１、レベル数受付部４２、視聴対象者受付部４３、既存レベル受付部４４が表示されている。パスワード受付部４１は、予め設定されたパスワードの入力を受け付ける。レベル数受付部４２には、レベル数が表示され、レベル数の特定及び各レベルが選択可能である。図５では、レベル数が、レベル１から８からなる８段階で表示されているが、レベル数は、ユーザが任意に設定可能である。図５では、ＤＶＤのレベル数に対応するレベル数として８段階が表示されている。
【００３２】
また、視聴対象者受付部４３には、視聴対象者の種類が表示され、各レベルに対応する視聴対象者が選択可能である。図５では、視聴対象者として、Ｇ、ＰＧ、ＰＧ−１３、Ｒ、ＮＣ−１７、制限なし、予備が表示されている。Ｇは、一般向けであり、すなわち全年齢対象を意味する。ＰＧは、子供には不適切であることを意味する。ＰＧ−１３は、１３
歳未満には不適切であることを意味する。Ｒは、１７歳未満では、保護者の同伴が必要であることを意味する。ＮＣ−１７は、１７歳未満は視聴禁止であることを意味する。制限なしは、視聴対象者の制限がないことを意味し、予備は、後の追加設定等を考慮して視聴対象者の設定がされないレベルを意味する。
【００３３】
ここで、例えば、ＤＶＤのパレンタルレベルのレベル数は、８段階であり、ＢＤのレベル数は、２５６段階といったように予め規定されている。そこで、レベル数受付部４２に表示するレベル数は、ＤＶＤやＢＤといった車載装置２で再生可能なメディアで予め規定されているレベル数を表示することができる。また、ＤＶＤの視聴対象者の種類も、予め既定されており、図５では、ＤＶＤの視聴対象者の種類に対応する視聴対象者が表示されている。図５の例では、既存レベル受付部４４でＤＶＤを選択することで、ＤＶＤのパレンタルレベルのレベル数及び視聴対象者が表示される。なお、既存レベル受付部４４において、ＢＤが選択されると、ＢＤのパレンタルレベルのレベル数及び視聴対象者が表示される。また、既存レベル受付部４４において、その他が選択されると、パレンタルレベルのレベル数や視聴対象者をユーザ側で自由に設定することができる。なお、共通パレンタルレベルのレベル数や視聴対象者は、車載装置２の出荷時において予め複数パターン設けておいてもよい。設定画面が表示されると、ステップＳ０２へ進む。
【００３４】
ステップＳ０２では、入力部３３は、共通パレンタルレベルの設定を受け付ける。共通パレンタルレベルとは、ＤＶＤのパレンタルレベル、ＢＤのパレンタルレベルを同時に設定可能なパレンタルレベルである。図６は、設定画面において、共通パレンタルレベルが設定されている様子を示す。図６では、パスワードが入力され、更に、パレンタルレベルのレベル１に対して、視聴対象者Ｇ：（全年齢）が選択されている。例えば、図６に示す状態で確定ボタン４６が押されると、レベル１に対して視聴対象者：Ｇが確定する。続いて、レベル２、レベル３に対する視聴対象者を順次選択し、確定していくことで、最終的に共通パレンタルレベルが設定される。なお、既存レベル受付部４４において、既存のパレンタルレベルを選択すると共に、カスタマイズなしのチェックボックス４５をチェックした場合には、選択した既存のパレンタルレベルを共通パレンタルレベルとして採用することができる。共通パレンタルレベルが設定されるとステップＳ０３へ進む。
【００３５】
ステップＳ０３では、パレンタルレベル制御部３４は、共通パレンタルレベルとＤＶＤのパレンタルレベルとを照合する。具体的には、パレンタルレベル制御部３４は、照合対象として、共通パレンタルレベルのレベル１を選択し、選択した共通パレンタルレベルのレベル１とＤＶＤのパレンタルレベルのレベル１から８を順次照合する。照合の対象となるＤＶＤのパレンタルレベルに関する情報は、メモリ３２に格納しておき、これを読み出してもよく、また、通信部２７を通じて取得してもよい。共通パレンタルレベルのレベル１とＤＶＤのパレンタルレベルのレベル１から８との照合が完了すると、パレンタルレベル制御部３４は、次に共通パレンタルレベルのレベル２とＤＶＤのパレンタルレベルのレベル１から８とを順次照合する。パレンタルレベル制御部３４は、共通パレンタルレベルのレベル３以降についても同様に照合を行う。照合が完了すると、ステップＳ０４へ進む。
【００３６】
ステップＳ０４では、パレンタルレベル制御部３４は、ステップＳ０３の照合結果に基づき、共通パレンタルレベルに対応するＤＶＤのパレンタルレベルが存在するか否かを判断する。具体的には、パレンタルレベル制御部３４は、共通パレンタルレベルのレベル１：視聴対象者（Ｇ）に対応するＤＶＤのパレンタルレベルの視聴対象者（Ｇ）が存在すれば、共通パレンタルレベルに対応するＤＶＤのパレンタルレベルが存在すると判断する。この場合ステップＳ０５へ進む。一方、パレンタルレベル制御部３４は、共通パレンタルレベルのレベル１の視聴対象者（例えば、Ｇ）に対応するＤＶＤのパレンタルレベルの視聴対象者（例えば、Ｇ）が存在しなければ、共通パレンタルレベルに対応するＤＶＤのパ
レンタルレベルが存在しないと判断する。この場合、ステップＳ０６へ進む。
【００３７】
ステップＳ０５では、パレンタルレベル制御部３４は、対応すると判断されたＤＶＤのパレンタルレベルと共通パレンタルレベルとを関連付ける。具体的には、パレンタルレベル制御部３４は、ＤＶＤのパレンタルレベルのレベル１：視聴対象者（例えば、Ｇ）を、共通パレンタルレベルのレベル１：視聴対象者（例えば、Ｇ）に関連付け、メモリ３２内のパレンタルレベルテーブルに記憶する。対応すると判断されたＤＶＤのパレンタルレベルと共通パレンタルレベルとの関連付けが終了すると、ステップＳ０７へ進む。
【００３８】
一方、ステップＳ０６では、パレンタルレベル制御部３４は、共通パレンタルレベルとこれに近いＤＶＤのパレンタルレベルとを関連付け、パレンタルレベルテーブルに記憶する。この時、パレンタルレベル制御部３４は、共通パレンタルレベルに近く、かつ、共通パレンタルレベルの視聴対象者の条件よりも厳しい条件である視聴対象者を関連付ける。例えば、設定された共通パレンタルレベルの所定レベルの視聴対象者が１５歳である場合、視聴対象者：１５歳は、ＤＶＤパレンタルレベルの視聴対象者には存在しない。ＤＶＤパレンタルレベルの視聴対象者には、上述したように、レベル１：Ｇ（一般向け）、レベル２：予備、レベル３：ＰＧ（子供には不適切）、レベル４：ＰＧ−１３（１３歳未満には不適切）、レベル５：予備、レベル６：Ｒ（１７歳未満では保護者の同伴が必要）、レベル７：ＮＣ−１７（１７歳未満は視聴禁止）、レベル８：制限なしが存在する。視聴対象者：１５歳には、ＰＧ−１３、Ｒ、ＮＣ−１７が近いが、このうち視聴対象者：１５歳よりも厳しい条件は、ＮＣ−１７である。従って、パレンタルレベル制御部３４は、共通パレンタルレベルの所定レベルの視聴対象者：１５歳と、ＤＶＤのパレンタルレベルのレベル７：ＮＣ−１７を関連付ける。共通パレンタルレベルとこれに近いＤＶＤのパレンタルレベルとの関連付けが終了するとステップＳ０７へ進む。そして、上記ステップＳ０３から０６の処理が繰り返し行われることで、共通パレンタルレベルとＤＶＤパレンタルレベルとの関連付けが完了する。
【００３９】
ここで、図７は、パレンタルレベルテーブルの構成例を示す。図７に示すように、共通パレンタルレベルは、レベル１から８の８段階によって構成されている。また、ＤＶＤのパレンタルレベルは、レベル１から８の８段階によって構成されている。そして、本態様では、共通パレンタルレベルのレベル１から８が、ＤＶＤのパレンタルレベル１から８に夫々関連付けられている。共通パレンタルレベルとＢＤのパレンタルレベルの関連付けについては、後述する。
【００４０】
ステップＳ０７以降の処理では、ステップＳ０３からステップＳ０６に相当する処理を、共通パレンタルレベルとＢＤのパレンタルレベルに対して行うことで、共通パレンタルレベルとＢＤのパレンタルレベルとを関連付ける。具体的には、以下の処理が行われる。まず、ステップＳ０７では、パレンタルレベル制御部３４は、共通パレンタルレベルとＢＤのパレンタルレベルとを照合する。照合の対象となるＢＤのパレンタルレベルに関する情報は、メモリ３２に格納しておき、これを読み出してもよく、また、通信部２７を通じて取得してもよい。具体的には、パレンタルレベル制御部３４は、照合対象として、共通パレンタルレベルのレベル１を選択し、選択した共通パレンタルレベルのレベル１とＢＤのパレンタルレベルのレベル１から８を順次照合する。共通パレンタルレベルのレベル１とＤＶＤのパレンタルレベルのレベル１から８との照合が完了すると、パレンタルレベル制御部３４は、次に共通パレンタルレベルのレベル２とＢＤのパレンタルレベルのレベル１から８とを順次照合する。パレンタルレベル制御部３４は、共通パレンタルレベルのレベル３以降についても同様に照合を行う。照合が完了すると、ステップＳ０８へ進む。
【００４１】
ステップＳ０８では、パレンタルレベル制御部３４は、ステップＳ０３の照合結果に基づき、共通パレンタルレベルに対応するＢＤのパレンタルレベルが存在するか否かを判断
する。具体的には、パレンタルレベル制御部３４は、共通パレンタルレベルのレベル１：視聴対象者（Ｇ）に対応するＢＤのパレンタルレベルの視聴対象者（Ｇ）が存在すれば、共通パレンタルレベルに対応するＢＤのパレンタルレベルが存在すると判断する。この場合ステップＳ０９へ進む。一方、パレンタルレベル制御部３４は、共通パレンタルレベルのレベル１：視聴対象者（Ｇ）に対応するＢＤのパレンタルレベルの視聴対象者（Ｇ）が存在しなければ、共通パレンタルレベルに対応するＢＤのパレンタルレベルが存在しないと判断する。この場合、ステップＳ１０へ進む。
【００４２】
ステップＳ０９では、パレンタルレベル制御部３４は、対応すると判断されたＢＤのパレンタルレベルと共通パレンタルレベルとを関連付ける。ＢＤのパレンタルレベルでは、レベル１から１３に対して、視聴対象者：Ｇ、ＰＧ、ＰＧ−１３が割り当てられている。なお、レベル１がＧ、レベル２がＰＧ、レベル３がＰＧ−１３といったように、より詳細に割り当てることも勿論可能である。例えば、共通パレンタルレベルのレベル１は、ＢＤのパレンタルレベル１から１３と関連付けられる（図７参照）。また、共通のパレンタルレベルのレベル６は、ＢＤのパレンタルレベルのレベル１４から１７と関連付けられる。共通のパレンタルレベルのレベル７は、ＢＤのパレンタルレベルのレベル１８から２５５と関連付けられる。更に、共通パレンタルレベルのレベル８は、ＢＤのパレンタルレベルのレベル２５６に関連付けられる。そして、共通パレンタルレベルとＢＤのパレンタルレベルとの対応関係が、パレンタルレベルテーブルに記憶される。なお、図７に示す例では、ＢＤのパレンタルレベルに「予備」が存在しないことから、共通パレンタルレベルのレベル２及び５（何れも予備）は、視聴対象者の制限が最も厳しい、ＢＤのパレンタルレベル１８から２５５と関連付けられる。
【００４３】
一方、ステップＳ１０では、パレンタルレベル制御部３４は、共通パレンタルレベルとこれに近いＢＤのパレンタルレベルとを関連付け、パレンタルレベルテーブルに記憶する。この時、パレンタルレベル制御部３４は、共通パレンタルレベルに近く、かつ、共通パレンタルレベルの視聴対象者の条件よりも厳しい条件であるＢＤのパレンタルレベルを関連付ける。なお、関連付けの手順は、ＤＶＤと同様であるので説明は割愛する。上記ステップＳ０７から１０の処理が繰り返し行われることで、共通パレンタルレベルとＢＤのパレンタルレベルとの関連付けが完了し、設定処理が終了する。
【００４４】
＜再生処理＞
次に、再生処理について説明する。図８は、実施形態に係る車載装置で実行される再生処理のフロー図を示す。再生処理は、車載装置２のディスク再生部２１が起動されることで開始される。ステップＳ１１では、再生部３５は、コンテンツの再生対象となる情報源を特定する。例えば、車載装置２に設けられたディスク再生部２１の再生ボタンが押されると、再生部３５は、コンテンツの再生対象となる情報源としてＤＶＤを特定する。コンテンツの再生対象となる情報源が特定されると、ステップＳ１２へ進む。
【００４５】
ステップＳ１２では、再生部３５は、パレンタルレベルテーブルにアクセスし、設定された共通パレンタルレベルを特定し、かつ、設定された共通パレンタルレベルに対応するＤＶＤのパレンタルレベルを読み出す。例えば、共通パレンタルレベルがレベル３で設定されている場合、再生部３５は、ＤＶＤのパレンタルレベル３：ＰＧ（子供には不適切）を読み出す。なお、ステップＳ１１において、コンテンツの再生対象となる情報源としてＢＤが特定された場合、再生部３５は、共通パレンタルレベルがレベル３で設定されていれば、ＢＤのパレンタルレベル１から１２を読み出す。レベル１から１２では、最も厳しい視聴対象者の条件としてＰＧ−１３（１３歳未満の子供には不適切）が存在することから、再生部３５は、ＰＧ−１３を特定することになる。なお、例えば、ＢＤのパレンタルレベルのレベル３がＰＧ−１３として予め規定されている場合には、再生部３５は、ＢＤのパレンタルレベル３を読み出す。ＤＶＤのパレンタルレベルが特定されると、ステップ
Ｓ１３へ進む。
【００４６】
ステップＳ１３では、再生部３５は、特定されたＤＶＤのパレンタルレベルに応じたコンテンツの再生処理を実行する。すなわち、再生部３５は、再生対象となるコンテンツのうち、年齢制限部分（例えば、暴力シーンや成人向けシーン）をカットし、あるいは全年齢対応のシーンに差し替えて、ＤＶＤを再生する。以上により、再生処理が終了する。
【００４７】
＜設定変更処理＞
次に、設定変更処理について説明する。設定変更処理は、ＧＰＳ情報受信部２８で取得された位置情報に基づいて、設定されているパレンタルレベルを変更するものである。例えば、設定変更処理は、車両２で走行して国境を越えるような場合には有用である。また、設定変更処理は、地域毎にパレンタルレベルが規定されている場合に、異なる地域を車両２で通過する場合にも有用である。図９は、実施形態に係る車載装置で実行される設定変更処理のフロー図を示す。ステップＳ２１では、入力部３３は、車両２の位置情報、換言すると、車載装置２の位置情報を、ＧＰＳ情報受信部２８を介して取得する。具体的には、入力部３３は、車載装置２の経度及び緯度に関する情報を取得する。なお、位置情報は、車載装置２にビーコンユニットを設け、路上に設けられたビーコンからの電波や赤外線を受信することで取得するようにしてもよい。位置情報が取得されるとステップＳ２２へ進む。
【００４８】
ステップＳ２２では、パレンタルレベル制御部３４は、位置情報に基づいて、車載装置２が存在する地域を特定する。例えば、パレンタルレベル制御部３４は、位置情報として経度及び緯度に関する情報と、車載装置２のメモリ内に格納されている地図情報とを照合し、車載装置２が存在する地域を特定する。なお、地図情報は、通信部２７を介してネットワークに接続し、外部のサーバから取得するようにしてもよい。なお、地域とは、パレンタルレベルが規定される単位としての領域である。パレンタルレベルは、例えば、国毎に規定されるものでるが、地域は、必ずしも国単位に限定されるものではない。地域が特定されると、ステップＳ２３へ進む。
【００４９】
ステップＳ２３では、パレンタルレベル制御部３４は、特定された地域のパレンタルレベルと、設定されている共通パレンタルレベルとを照合する。具体的には、パレンタルレベル制御部３４は、特定された地域（例えば、地域Ａ）における特定の情報源（例えば、ＤＶＤ）のパレンタルレベルと、設定されている共通パレンタルレベルで関連付けられている特定の情報源（例えば、ＤＶＤ）のパレンタルレベルとを照合する。パレンタルレベルが照合されると、ステップＳ２４へ進む。
【００５０】
ステップＳ２４では、パレンタルレベル制御部３４は、ステップＳ２３の照合結果に基づき、共通パレンタルレベルに関する現在の設定が正しいか否か判断する。すなわち、パレンタルレベル制御部３４は、設定されている共通パレンタルレベルで関連付けられている特定の情報源（例えば、ＤＶＤ）のパレンタルレベルが、特定された地域（例えば、地域Ａ）における特定の情報源（例えば、ＤＶＤ）のパレンタルレベルに対応しているか否か判断する。設定が正しい場合には、ステップＳ２５へ進む。一方、設定が正しくない場合には、ステップＳ２６へ進む。
【００５１】
ステップＳ２５では、パレンタルレベル制御部３４は、設定変更を行わず、設定変更処理を終了する。一方、ステップＳ２６では、パレンタルレベル制御部３４は、特定された地域に対応するパレンタルレベルに変更する。例えば、パレンタルレベル制御部３４は、設定されている共通パレンタルレベルで関連付けられている特定の情報源（例えば、ＤＶＤ）のパレンタルレベルが地域Ａに対応しており、車載装置２の存在する地域が地域Ｂの場合、設定されている共通パレンタルレベルで関連付けられている特定の情報源（例えば
、ＤＶＤ）のパレンタルレベルを地域Ｂに対応するよう変更処理を行う。すなわち、パレンタルレベル制御部３４は、まず、特定された地域（例えば、地域Ｂ）の特定の情報源（例えば、ＤＶＤ）のパレンタルレベルを取得する。地域Ｂの特定の情報源のパレンタルレベルは、車載装置２のメモリ３２内に予め格納しておいてもよく、また、通信部２７を介して、外部のサーバなどから取得するようにしてもよい。特定された地域の特定の情報源のパレンタルレベルが取得されると、ステップＳ２７へ進む。
【００５２】
ステップＳ２７では、パレンタルレベル制御部３４は、設定処理、つまり、ステップＳ０１からステップＳ１０の処理を実行する。具体的には、パレンタルレベル制御部３４は、特定された地域の情報源（例えば、ＤＶＤやＢＤ）のパレンタルレベルと共通パレンタルレベルとを関連付け、パレンタルレベルテーブルに記憶する。ステップＳ０１からステップＳ１０の処理が実行されると、設定変更処理が終了する。
【００５３】
ここで、図１０は、変更前のパレンタルテーブル及びを変更後のパレンタルレベルの構成例を示す。図１０は、例としてＤＶＤのパレンタルレベルのみ図示する。図１０に示すように、共通パレンタルレベルは、レベル１から８の８段階によって構成されている。また、地域ＡにおけるＤＶＤのパレンタルレベルは、レベル１から８の８段階によって構成されている。地域ＡのＤＶＤのパレンタルレベルは、レベル１：Ｇ（一般向け）、レベル２：予備、レベル３：ＰＧ（子供には不適切）、レベル４：ＰＧ−１３（１３歳未満には不適切）、レベル５：予備、レベル６：Ｒ（１７歳未満では保護者の同伴が必要）、レベル７：ＮＣ−１７（１７歳未満は視聴禁止）、レベル８：制限なしからなる。そして、本態様では共通パレンタルレベルのレベル１から８が、地域ＡのＤＶＤのパレンタルレベル１から８に夫々関連付けられている。
【００５４】
地域Ｂにおけるパレンタルレベルも、レベル１から８の８段階によって構成されているが、その内容が異なる。具体的には、地域Ｂにおけるパレンタルレベルは、共通パレンタルレベルのレベル１から８が、地域ＢのＤＶＤのパレンタルレベルに夫々関連付けられている。一方、地域ＢのＤＶＤのパレンタルレベルは、レベル１：一般、レベル２：予備、レベル３：ＰＧ−１２（１２歳未満には、不適切）、レベル４：Ｒ−１５（１５歳未満視聴禁止）レベル５：予備、レベル６：予備、レベル７：Ｒ−１８（１８歳未満は視聴禁止）、レベル８：制限なしからなる。本態様では共通パレンタルレベルのレベル１から８が、地域ＢのＤＶＤのパレンタルレベル１から８に夫々関連付けられている。
【００５５】
なお、再生処理は、先に説明した処理と基本的に同じである（図８参照）。但し、ステップＳ１２において、再生部３５は、変更されたパレンタルレベルテーブルにアクセスし、設定された共通パレンタルレベルを特定し、かつ、設定された共通パレンタルレベルに対応するＤＶＤのパレンタルレベルを読み出す。そして、ステップＳ１３では、再生部３５は、特定されたＤＶＤのパレンタルレベルに応じたコンテンツの再生処理を実行する。
【００５６】
[効果]
以上説明した実施形態に係る車載装置２によれば、複数の情報源（例えば、ＤＶＤやＶＤ）ごとに予め規定されているパレンタルレベルと共通のパレンタルレベルとを互いに関連付けることで、１回の設定で、複数の情報源のコンテンツの再生に対するパレンタルレベルの設定が可能となる。その結果、複数の情報源ごとにパレンタルレベルを設定する必要がなく、パレンタルレベルの設定操作が従来よりも容易となる。
【００５７】
また、上述した変更設定処理によれば、仮にパレンタルレベルの異なる地域に車両２が進入した場合には、パレンタルレベルの設定が自動的に変更される。従って、ユーザの操作負担が軽減される。
【００５８】
以上、本発明の好適な実施形態を説明したが、本発明に係る情報処理装置（車載装置）はこれらに限らず、可能な限りこれらの組合せを含むことができる。上記実施形態では、本発明の情報処理装置を車載装置として説明したが、本発明に係る情報処理装置は、室内で使用する電子機器（例えば、ＤＶＤ／ＢＤデッキ）としても好適に用いることができる。また、上記実施形態の車載装置２は、ナビゲーション機能を必須の構成とするが、設定処理及び再生処理のみを行う場合には、ナビゲーション機能は有していなくともよい。更に、実施形態では、複数の情報源のコンテンツとしてＤＶＤ及びＢＤに格納されるコンテンツを例に説明した。但し、複数の情報源のコンテンツは、通信部２７を介してネットワークを通じて配信されるコンテンツでもよい。また、複数の情報源のコンテンツは、ＴＶ受信部２３を介して取得されるコンテンツでもよい。
【符号の説明】
【００５９】
１・・・車両
２・・・車載装置
２０・・・制御部
２１・・・ディスク再生部
２２・・・メモリーカード再生部
２３・・・ＴＶ受信部
２４・・・ラジオ受信部
２５・・・ディスプレイ
２６・・・操作部
２７・・・通信部
２８・・・ＧＰＳ情報受信部
３１・・・ＣＰＵ
３２・・・メモリ
３３・・・入力部
３４・・・パレンタルレベル制御部
３５・・・再生部
【図１】
2011217152.tif 000003
【図２】
2011217152.tif 000004
【図３】
2011217152.tif 000005
【図４】
2011217152.tif 000006
【図５】
2011217152.tif 000007
【図６】
2011217152.tif 000008
【図７】
2011217152.tif 000009
【図８】
2011217152.tif 000010
【図９】
2011217152.tif 000011
【図１０】
2011217152.tif 000012